(57)【要約】【課題】本発明は、本体と蓋体とをヒンジ部を介して開閉自在に支承し、本体側基板と蓋体側基板とをフレキシブル配線基板で互いに接続して成る折畳み式携帯情報端末を対象とし、フレキシブル配線基板から放射されるノイズによる受信性能の劣化や、フレキシブル配線基板に送信波が入力することによる誤動作の発生を未然に防止し得る折畳み式携帯情報端末の提供を目的とする。【解決手段】本発明の実施例である折畳み式の携帯電話機１は、本体２と蓋体３とをヒンジ部４を介して開閉自在に支承し、本体側基板２Ｂと蓋体側基板３Ｂとをフレキシブル配線基板５で互いに接続して成り、本体側基板２Ｂに取り付けられた本体側シールドカバー１０と、蓋体側基板３Ｂに取り付けられて本体側シールドカバー１０と導通しつつ相対移動する蓋体側シールドカバー２０とによって、フレキシブル配線基板５の全体を囲繞してシールドを行っている。【選択図】　図３
2004007218.tif 000002
【特許請求の範囲】
【請求項１】
本体と蓋体とをヒンジ部を介して開閉自在に支承するとともに、本体側基板と蓋体側基板とをフレキシブル配線基板により互いに接続して成る折畳み式携帯情報端末であって、
前記本体側基板に取り付けられ、前記フレキシブル配線基板における前記本体側基板に接続されている側の所定領域を収容する本体側シールドカバーと、
前記蓋体側基板に取り付けられ、前記フレキシブル配線基板における前記蓋体側基板に接続されている側の所定領域を収容するとともに、前記本体と前記蓋体との開閉動作に伴って前記本体側シールドカバーとの導通を維持しつつ該本体側シールドカバーに対して相対移動する蓋体側シールドカバーとを具備し、
前記本体側シールドカバーと前記蓋体側シールドカバーとにより前記フレキシブル配線基板の全体を囲繞して該フレキシブル配線基板をシールドすることを特徴とする折畳み式携帯情報端末。
【発明の詳細な説明】
【０００１】
【発明の属する技術分野】
本発明は、本体と蓋体とをヒンジ部を介して開閉自在に支承するとともに、本体側基板と蓋体側基板とをフレキシブル配線基板により互いに接続して成る折畳み式携帯情報端末に関する。
【０００２】
【従来の技術】
図１１および図１２に示す折畳み式携帯情報端末の一態様である折畳み式の携帯電話機Ａは、本体Ｂと蓋体Ｃとを具備するとともに、これら本体Ｂと蓋体Ｃとをヒンジ部Ｄによって開閉自在に連結しており、本体Ｂにはテンキー等の操作部Ｅや送話部Ｆ等が設けられ、蓋体Ｃには通信アンテナＧ、液晶表示部Ｈおよび受話部Ｉ等が設けられている。
【０００３】
また、上記本体Ｂには本体側基板Ｊが収容設置されている一方、上記蓋体Ｃには蓋体側基板Ｋが収容設置されており、これら本体側基板Ｊと蓋体側基板Ｋとは信号ライン（図示せず）を有するフレキシブル配線基板Ｌを介して互いに接続されている。
【０００４】
【発明が解決しようとする課題】
ところで、上述した従来の携帯電話機Ａにおいては、本体側基板Ｊおよび蓋体側基板Ｋに対してシールドパック等を用いたシールドが為されているものの、フレキシブル配線基板Ｌに対しては特にシールドは施されていない。
【０００５】
このため、フレキシブ　ル配線基板Ｌから携帯電話機Ａの外部にノイズが放射され、このノイズが通信アンテナＧに入力されることによって、携帯電話機Ａにおける受信性能が著しく劣化する等の不都合があった。
【０００６】
また、通信アンテナＧから放射された送信波がフレキシブル配線基板Ｌに入力することによって、携帯電話機Ａの誤動作を招来する等の不都合があった。
【０００７】
本発明は上記実状に鑑みて、本体側基板と蓋体側基板とを接続しているフレキシブル配線基板からのノイズの放射や、上記フレキシブル配線基板への送信波の入力等に起因する受信性能の劣化および誤動作の発生等を、未然に防止することの可能な折畳み式携帯情報端末の提供を目的とするものである。
【０００８】
【課題を解決するための手段】
本発明に関わる折畳み式携帯情報端末は、本体と蓋体とをヒンジ部を介して開閉自在に支承するとともに、本体側基板と蓋体側基板とをフレキシブル配線基板により互いに接続して成る折畳み式携帯情報端末であって、
前記本体側基板に取り付けられ、前記フレキシブル配線基板における前記本体側基板に接続されている側の所定領域を収容する本体側シールドカバーと、
前記蓋体側基板に取り付けられ、前記フレキシブル配線基板における前記蓋体側基板に接続されている側の所定領域を収容するとともに、前記本体と前記蓋体との開閉動作に伴って前記本体側シールドカバーとの導通を維持しつつ該本体側シールドカバーに対して相対移動する蓋体側シールドカバーとを具備し、
前記本体側シールドカバーと前記蓋体側シールドカバーとにより前記フレキシブル配線基板の全体を囲繞して該フレキシブル配線基板をシールドすることを特徴としている。
【０００９】
【発明の実施の形態】
以下、本発明の実施例を、図面を参照しつつ詳細に説明する。
図１〜図３は、折畳み式携帯情報端末の一態様である折畳み式の携帯電話機に本発明を適用した実施例を示しており、この携帯電話機１は本体２および蓋体３を具備し、これら本体２と蓋体３とをヒンジ部４により開閉自在に連結して構成されている。
【００１０】
携帯電話機１の本体２には、テンキーや各種ファンクションキー等から成る操作部１Ｏおよび送話部１Ｍ等が設けられており、携帯電話機１の蓋体３には液晶表示部１Ｄ、受話部１Ｓおよび通信アンテナ１Ａ等が設置されている。
【００１１】
因みに、本体２と蓋体３とを開成した状態（図１）では、本体２の操作部１Ｏおよび送話部１Ｍと、蓋体３の液晶表示部１Ｄおよび受話部１Ｓとが露出し、本体２と蓋体３とを閉成した状態（図２）では、操作部１Ｏおよび送話部１Ｍが蓋体３により覆われ、液晶表示部１Ｄおよび受話部１Ｓが本体２により覆われる。
【００１２】
図３に示す如く、携帯電話機１における本体２の筐体２Ａには本体側基板２Ｂが収容設置されている一方、携帯電話機１における蓋体３の筐体３Ａには蓋体側基板３Ｂが収容設置されており、これら本体側基板２Ｂと蓋体側基板３Ｂとは、後述する如くヒンジ部４に一部を収容させて配設したフレキシブル配線基板５により互いに接続されている。
【００１３】
また、上記フレキシブル配線基板５は、本体側基板２Ｂに取り付けられた本体側シールドカバー１０と、蓋体側基板３Ｂに取り付けられた蓋体側シールドカバー２０とによって全体を囲繞されており、これによって上記フレキシブル配線基板５のシールドが為されている。
【００１４】
上記本体側シールドカバー１０は、図４、図５および図７に示す如く下カバー１１と上カバー１２とから構成されており、これら下カバー１１および上カバー１２は共に肉薄の銅板から作成されている。
【００１５】
下カバー１１は、本体側基板２Ｂの下面を覆う箱部１１Ａと、この箱部１１Ａから突出した半筒部１１Ｂとを有しており、上カバー１２は、本体側基板２Ｂの上面を覆う箱部１２Ａと、この箱部１２Ａから突出した半筒部１２Ｂと、この半筒部１２Ｂの端部を覆う円板部１２Ｃとを有している。
【００１６】
また、図９に示す如く上カバー１２における半筒部１２Ｂの側縁には、所定数の接触舌片１２ｂが形成されているとともに、円板部１２Ｃの周縁には所定数の接触舌片１２ｃが形成されている。
【００１７】
上述した下カバー１１と上カバー１２とは、本体２の筐体２Ａ（図３参照）を構成する上ケース２Ｕと下ケース２Ｌとをネジ止めする際、本体側基板２Ｂとともに筐体２Ａの内部の所定位置に固定され、上記本体側基板２Ｂに対して取り付けられる。
【００１８】
ここで、上記本体側基板２Ｂに取り付けられた状態において、下カバー１１における箱部１１Ａの開口縁部は、本体側基板２Ｂの下面に形成された接地パターン２Ｂｇと接触し、また上カバー１２における箱部１２Ａの開口縁部は、本体側基板２Ｂの上面に形成された接地パターン２Ｂｇと接触する。
【００１９】
また、上記本体側基板２Ｂに取り付けられた状態において、下カバー１１の箱部１１Ａは、本体側基板２Ｂに接続されているフレキシブル配線基板５における本体側コネクタ基板５Ａの周辺を収容する。
【００２０】
さらに、上記本体側基板２Ｂに取り付けられた状態において、下カバー１１の半筒部１１Ｂと上カバー１２の半筒部１２Ｂおよび円板部１２Ｃとが互いに組み付けられることで有底円筒が画成され、この有底円筒はフレキシブル配線基板５の巻回部分における略半分の範囲を収容する。
【００２１】
すなわち、上述した下カバー１１と上カバー１２とから成る本体側シールドカバー１０により、フレキシブル配線基板５おいて本体側基板２Ｂに接続されている側の所定領域、具体的には図３に示す如く携帯電話機１を正面から見て左半分の領域が収容されている。
【００２２】
なお、上記本体側基板２Ｂに取り付けられた状態において、上カバー１２に形成されている接触舌片１２ｂ、１２ｃが、下カバー１１の半筒部１１Ｂと接触することで、下カバー１１と上カバー１２とは電気的に良好に接続されている。
【００２３】
一方、上記蓋体側シールドカバー２０は、図４、図６および図８に示す如く、下カバー２１と上カバー２２とから構成されており、これら下カバー２１および上カバー２２は共に肉薄の銅板から作成されている。
【００２４】
下カバー２１は、蓋体側基板３Ｂの下面を覆う箱部２１Ａと、この箱部２１Ａから突出した半筒部２１Ｂとを有しており、上カバー２２は、蓋体側基板３Ｂの上面を覆う箱部２２Ａと、この箱部２２Ａから突出した半筒部２２Ｂと、この半筒部２２Ｂの端部を覆う円板部２２Ｃとを有している。
【００２５】
また、図９に示す如く下カバー２１の半筒部２１Ｂにおける一方の端縁には、所定数の接触舌片２１ａが形成されている一方、上カバー２２の半筒部２２Ｂにおける一方の端縁には所定数の接触舌片２２ａが形成され、かつ半筒部２２Ｂの側縁には所定数の接触舌片２２ｂが形成されているとともに、円板部２２Ｃの周縁には所定数の接触舌片２２ｃが形成されている。
【００２６】
上述した下カバー２１と上カバー２２とは、蓋体３の筐体３Ａ（図３参照）を構成する上ケース３Ｕと下ケース３Ｌとをネジ止めする際、蓋体側基板３Ｂとともに筐体３Ａの内部の所定位置に固定され、上記蓋体側基板３Ｂに対して取り付けられる。
【００２７】
ここで、上記蓋体側基板３Ｂに取り付けられた状態において、下カバー２１における箱部２１Ａの開口縁部は、蓋体側基板３Ｂの下面に形成された接地パターン３Ｂｇと接触し、また上カバー２２における箱部２２Ａの開口縁部は、蓋体側基板３Ｂの上面に形成された接地パターン３Ｂｇと接触する。
【００２８】
また、上記蓋体側基板３Ｂに取り付けられた状態において、下カバー２１の箱部２１Ａは、蓋体側基板３Ｂに接続されているフレキシブル配線基板５における蓋体側コネクタ基板５Ｂの周辺を収容する。
【００２９】
さらに、上記蓋体側基板３Ｂに取り付けられた状態において、下カバー２１の半筒部２１Ｂと上カバー２２の半筒部２２Ｂおよび円板部２２Ｃとが互いに組み付けられることで有底円筒が画成され、この有底円筒はフレキシブル配線基板５の巻回部分における略半分の範囲を収容する。
【００３０】
すなわち、上述した下カバー２１と上カバー２２とから成る蓋体側シールドカバー２０により、フレキシブル配線基板５おいて蓋体側基板３Ｂに接続されている側の所定領域、具体的には図３に示す如く携帯電話機１を正面から見て右半分の領域が収容されている。
【００３１】
なお、上記蓋体側基板３Ｂに取り付けられた状態において、上カバー２２に形成されている接触舌片２２ｂ、２２ｃが、下カバー２１の半筒部２１Ｂと接触することで、下カバー２１と上カバー２２とは電気的に良好に接続されている。
【００３２】
ここで、携帯電話機１の本体２と蓋体３とは、図７に示す上ケース２Ｕに形成された左右の本体側ボス２Ｕｂと、図８に示す上ケース３Ｕに形成された左右の蓋体側ボス３Ｕｂとを、図示していない左右のヒンジピンを介して連結され、これら左右のヒンジピンを結んだ軸線を中心に開閉する。
【００３３】
また、上記左右の本体側ボス２Ｕｂおよび蓋体側ボス３Ｕｂの間には、図７に示す下ケース２Ｌの半筒部２Ｌａと上ケース２Ｕの半筒部２Ｕａ、および図８に示す下ケース３Ｌの半筒部３Ｌａと上ケース３Ｕの半筒部３Ｕａによって、所謂ヒンジ樽が形成されている。
【００３４】
上述したヒンジ樽の内部には、本体側シールドカバー１０における下カバー１１の半筒部１１Ｂと上カバー１２の半筒部１２Ｂおよび円板部１２Ｃとが組み付けられて成る有底円筒と、蓋体側シールドカバー２０における下カバー２１の半筒部２１Ｂと上カバー２２の半筒部２２Ｂおよび円板部２２Ｃとが互いに組み付けられて成る有底円筒とが収容されている。
【００３５】
上述した本体側シールドカバー１０における有底円筒と、上述した蓋体側シールドカバー２０における有底円筒とは、左右のヒンジピン（図示せず）を結んだ軸線上において隣接しており、携帯電話機１の本体２と蓋体３とを開閉させた際、上述した各々の有底円筒、言い換えれば本体側シールドカバー１０と蓋体側シールドカバー２０とは、上記軸線を中心として相対的に回動することとなる。
【００３６】
また、図１０に示す如く、蓋体側シールドカバー２０の下カバー２１における半筒部２１Ｂに設けた接触舌片２１ａ、および上カバー２２における半筒部２２Ｂに設けた接触舌片２２ａが、本体側シールドカバー１０の下カバー１１における半筒部１１Ｂの一方周縁、および上カバー１２における半筒部１２Ｂの一方周縁と接触していることにより、上記本体側シールドカバー１０と蓋体側シールドカバー２０とは、携帯電話機１における本体２と蓋体３との開閉状態に関わらず常に電気的に良好に接続されることとなる。
【００３７】
本体側シールドカバー１０と蓋体側シールドカバー２０とによって、フレキシブル配線基板５の全体を囲繞することで、上記フレキシブル配線基板５がシールドされることとなる。
【００３８】
この結果、フレキシブル配線基板５から携帯電話機１の外部にノイズが放射され、このノイズが通信アンテナ１Ａに入力されることによって、携帯電話機１における受信性能が著しく劣化する等の不都合が未然に防止されることとなる。
【００３９】
また、通信アンテナ１Ａから放射された送信波が、フレキシブル配線基板５に入力することによって、携帯電話機１の誤動作を招来する等の不都合が未然に防止されることとなる。
【００４０】
このように、上述した構成の携帯電話機１によれば、フレキシブル配線基板５ら放射されたノイズが携帯電話機１の外部に漏洩することがなく、また外部からの送信波等をフレキシブル配線基板５が拾ってしまうこともないので、受信性能の劣化や誤動作の発生等を未然に防止することが可能となる。
【００４１】
なお、上述した実施例においては、本体側シールドカバー１０および蓋体側シールドカバー２０を、良好な電気的特性と機械的強度とを併せ持った肉薄の銅板から作成したが、電気的特性と機械的強度とを満足させる材料であれば、銅板以外の適宜な材料から各シールドカバーを作成し得ることは勿論である。
【００４２】
また、上述した実施例においては、折畳み式携帯情報端末の一態様である携帯電話機に本発明を適用した例を示したが、例えばＰＤＡ（パーソナル・データ・アシスタンス）等、携帯電話機以外の様々な折畳み式携帯情報端末においても、本発明を有効に適用し得ることは言うまでもない。
【００４３】
【発明の効果】
上述した如く、本発明に関わる折畳み式携帯情報端末は、本体と蓋体とをヒンジ部を介して開閉自在に支承するとともに、本体側基板と蓋体側基板とをフレキシブル配線基板により互いに接続して成る折畳み式携帯情報端末であって、
本体側基板に取り付けられ、フレキシブル配線基板における本体側基板に接続されている側の所定領域を収容する本体側シールドカバーと、
蓋体側基板に取り付けられ、フレキシブル配線基板における蓋体側基板に接続されている側の所定領域を収容するとともに、本体と蓋体との開閉動作に伴って本体側シールドカバーとの導通を維持しつつ該本体側シールドカバーに対して相対移動する蓋体側シールドカバーとを具備し、
本体側シールドカバーと蓋体側シールドカバーとによりフレキシブル配線基板の全体を囲繞して該フレキシブル配線基板をシールドしている。
【００４４】
上記構成によれば、本体側シールドカバーと蓋体側シールドカバーとによってフレキシブル配線基板をシールドしているので、このフレキシブル配線基板から放射されたノイズが折畳み式携帯情報端末の外部に漏洩することがなく、また外部からの送信波等をフレキシブル配線基板が拾ってしまうこともない。
【００４５】
かくして、本発明に関わる折畳み式携帯情報端末によれば、フレキシブル配線基板から放射されたノイズが通信アンテナに入力されることによる受信性能の劣化や、通信アンテナから放射された送信波がフレキシブル配線基板に入力することによる誤動作の発生等を未然に防止することが可能となる。
【図面の簡単な説明】
【図１】
本発明に関わる折畳み式機携帯情報端末の一実施例である携帯電話機を示す外観斜視図。
【図２】（ａ）および（ｂ）は、図１に示した携帯電話機の正面図および側面図。
【図３】（ａ）および（ｂ）は、図１の携帯電話機を概念的に示す正面図および側面図。
【図４】（ａ）および（ｂ）は、図１の携帯電話機における筐体を取り外した状態を示す正面概念図および側面概念図。
【図５】図１に示した携帯電話機における本体側シールドカバーの周辺を概念的に示す要部断面側面図。
【図６】図１に示した携帯電話機における蓋体側シールドカバーの周辺を概念的に示す要部断面側面図。
【図７】図１に示した携帯電話機の本体を概念的に示す分解斜視図。
【図８】図１に示した携帯電話機の蓋体を概念的に示す分解斜視図。
【図９】図１に示した携帯電話機の本体側シールドカバーと蓋体側シールドカバーとを概念的に示す要部斜視図。
【図１０】（ａ）および（ｂ）は、図１に示した携帯電話機における本体側シールドカバーと蓋体側シールドカバーとの組み付け状態を概念的に示す正面図および要部拡大断面図。
【図１１】従来の折畳み式携帯情報端末の一例である携帯電話機を示す外観斜視図。
【図１２】（ａ）および（ｂ）は、図１１に示した携帯電話機の正面概念図および側面概念図。
【符号の説明】
１…携帯電話機（折畳み式携帯情報端末）、
２…本体、
２Ａ…本体側筐体、
２Ｂ…本体側基板、
３…蓋体、
３Ａ…蓋体側筐体、
３Ｂ…蓋体側基板、
４…ヒンジ部、
４Ａ…ヒンジ樽、
５…フレキシブル配線基板、
１０…本体側シールドカバー、
２０…蓋体側シールドカバー。
【図１】
2004007218.tif 000003
【図２】
2004007218.tif 000004
【図３】
2004007218.tif 000005
【図４】
2004007218.tif 000006
【図５】
2004007218.tif 000007
【図６】
2004007218.tif 000008
【図７】
2004007218.tif 000009
【図８】
2004007218.tif 000010
【図９】
2004007218.tif 000011
【図１０】
2004007218.tif 000012
【図１１】
2004007218.tif 000013
【図１２】
2004007218.tif 000014